(57)【特許請求の範囲】
【請求項１】
検出器からのパルス信号を取り込む入力端子と、
前記入力端子を介して取り込まれたパルス信号を一定周期毎に計数するカウンタ手段と、
前記カウンタ手段からの最終的な計数値に基づいてパルス計数率を算出する演算器と、
前記最終的な計数値を格納するメモリと、
前記パルス計数率を外部に出力する計数率出力端子と、
前記一定周期に前記パルス信号に侵入したノイズ信号を検出して有害ノイズの有無を判定する有害ノイズ判定手段と、
前記有害ノイズの侵入状態が判定された場合に、ノイズ侵入状態を示す警報を外部に出力する警報出力端子と、
前記入力端子と前記カウンタ手段との間に挿入されて正常なパルス信号のみを通過させるためのノイズ除去手段と、
前記入力端子に接続された第１の波高弁別器とを備え、
前記カウンタ手段は、
前記ノイズ除去手段を介したパルス信号を計数する第１のカウンタと、
前記第１の波高弁別器の出力端子に直接接続された第２のカウンタとを含み、
前記ノイズ除去手段は、
前記第１の波高弁別器の出力端子に接続されたパルス幅弁別器と、
前記入力端子に接続された第２および第３の波高弁別器と、
前記パルス幅弁別器の出力信号と前記第２および第３の波高弁別器の各出力信号との論理積演算結果を前記第１のカウンタに入力するアンド回路とを含み、
前記演算器は、前記有害ノイズ判定手段を含み、前記第１および第２のカウンタの各計数値に基づいて前記有害ノイズの有無を判定するとともに、前記第１のカウンタの計数値に基づいて前記計数率を算出することを特徴とするパルス信号検出装置。
【請求項２】
前記演算器は、
前記第１および第２のカウンタの計数値差が第１の設定値を越えた場合に、前記警報を出力するとともに、前記第１のカウンタの今回計数値と前回計数値との計数値変化量を算出し、
前記計数値変化量が第２の設定値以下の場合、または前記計数値差が前記第１の設定値以下の場合に、前記第１のカウンタの計数値から前記計数率を算出し、
前記計数値変化量が前記第２の設定値を越えた場合に、前記第１のカウンタの前回計数値を前記メモリに格納することを特徴とする請求項１に記載のパルス信号検出装置。
【請求項３】
検出器からのパルス信号を取り込む入力端子と、
前記入力端子を介して取り込まれたパルス信号を一定周期毎に計数するカウンタ手段と、
前記カウンタ手段からの最終的な計数値に基づいてパルス計数率を算出する演算器と、
前記最終的な計数値を格納するメモリと、
前記パルス計数率を外部に出力する計数率出力端子と、
前記一定周期に前記パルス信号に侵入したノイズ信号を検出して有害ノイズの有無を判定する有害ノイズ判定手段と、
前記有害ノイズの侵入状態が判定された場合に、ノイズ侵入状態を示す警報を外部に出力する警報出力端子と、
前記入力端子と前記カウンタ手段との間に挿入されて正常なパルス信号のみを通過させるためのノイズ除去手段と、
前記入力端子に接続された第１の波高弁別器とを備え、
前記カウンタ手段は、
前記ノイズ除去手段を介したパルス信号を計数する第１のカウンタと、
前記第１の波高弁別器の出力端子に直接接続された第２のカウンタとを含み、
前記ノイズ除去手段は、前記第１の波高弁別器を通過したパルス信号の波形を１つずつ解析し、正常なパルス信号のみを通過させる単一のＡＤコンバータにより構成されたことを特徴とするパルス信号検出装置。
【請求項４】
前記ＡＤコンバータは、前記有害ノイズの種類を識別するための波形情報を前記演算器に入力し、
前記演算器は、前記波形情報に基づく前記有害ノイズの識別情報を前記メモリに格納することを特徴とする請求項３に記載のパルス信号検出装置。
【発明の詳細な説明】
【０００１】
【発明の属する技術分野】
この発明は、たとえば放射線監視装置などのパルス信号の計数に用いられるパルス信号検出装置に関し、特に有害ノイズの侵入により監視値に多大の影響を受けることが想定される場合に、警報を出力して対処および改善することのできるパルス信号検出装置に関するものである。
【０００２】
【従来の技術】
図５はたとえば特開２０００−２５８５３７号公報に示された従来のパルス信号検出装置を示すブロック構成図である。
【０００３】
図５において、１は監視装置の検出器（図示せず）に接続される入力端子、２は入力端子１に接続された第１の波高弁別器、７はパルス幅弁別器１５を介して第１の波高弁別器２の出力端子に接続された第１のカウンタ、８は第１の波高弁別器２の出力端子に直接接続された第２のカウンタである。
【０００４】
９は第１および第２のカウンタ７、８の出力端子に接続された演算器、１０は演算器９に接続されたメモリ、１１は演算器９から生成される最終的な計数値に基づくパルス計数率を外部に出力する計数率出力端子、１２はノイズ侵入時に演算器９から生成される警報を出力するための警報出力端子である。
【０００５】
１３、１４はそれぞれ入力端子１に接続された第２、第３の波高弁別器であり、第２、第３の波高弁別器１３、１４の出力端子は、第１のカウンタ７に接続されている。
【０００６】
次に、図５を参照しながら、従来のパルス信号検出装置の動作について説明する。
図５において、放射線監視装置などからパルス信号検出装置の入力端子１を介して検出されるパルス信号は、まず、第１の波高弁別器２に入力される。
【０００７】
第１の波高弁別器２は、パルス信号から必要パルス波高値以下のパルスを除去する。これにより、パルス信号のうち、必要パルス高さの信号のみがパルス幅弁別器１５および第２のカウンタ８に入力される。
【０００８】
パルス幅弁別器１５は、第１の波高弁別器２から入力される信号のうち、必要パルス幅以上の有害ノイズの信号のみを第１のカウンタ７に入力する。
一方、入力端子１から取り込まれたパルス信号は、第２および第３の波高弁別器１３、１４にも分岐されて入力される。
【０００９】
第２の波高弁別器１３は、パルス信号から必要パルス高さ以下のパルスを除去し、パルス信号のうち、必要パルス高さ以上の信号を弁別して有害ノイズとして第１のカウンタ７に入力する。
また、第３の波高弁別器１４は、パルス信号のうち、入力パルスとは逆極性のパルスを有害ノイズの信号として第１のカウンタ７に入力する。
【００１０】
これにより、第２のカウンタ８には、検出器からの全てのパルス信号が入力され、第２のカウンタ８により全パルス信号が計数される。
一方、第１のカウンタ７には、有害ノイズを示すパルスのみが入力され、第２のカウンタ８により有害ノイズのパルス信号が計数される。
【００１１】
第１および第２のカウンタ７、８で計数されたパルスは、演算器９により処理され、演算器９は、処理結果に応じた検出情報を計数率出力端子１１および警報出力端子１２から出力する。
【００１２】
次に、図６を参照しながら、図５に示した従来のパルス信号検出装置による演算処理動作について説明する。
図６は図５内の演算器９の動作（演算手順）を示すフローチャートである。
【００１３】
図６において、演算器９は、まず、第１のカウンタ７による計数値Ｎ１と、第２のカウンタ８による計数値Ｎ２とを読み込み（ステップＳ１、Ｓ２）、第１のカウンタ７の計数値Ｎ１が任意の設定値Ａ（有害ノイズの侵入判定基準値）よりも大きいか否かを判定する（ステップＳ３）。
【００１４】
ステップＳ３において、Ｎ１≦Ａ（すなわち、Ｎｏ）と判定されれば、演算器９は、有害ノイズが侵入してきていないものと判定し、第２のカウント８の計数値Ｎ２に基づいて全パルス信号の計数率を算出し、計数率出力端子１１からパルス計数率の演算結果を出力すると同時に、第２のカウンタ８の計数値Ｎ２を前回計数値Ｎ２（ｔ−１）としてメモリ１０に格納し（ステップＳ４）、ステップＳ１に戻る。
【００１５】
一方、ステップＳ３において、Ｎ１＞Ａ（すなわち、Ｔｅｓ）と判定されれば、演算器９は、有害ノイズが侵入したものと判定し、今回演算周期における第２のカウンタ８の計数値Ｎ２を使用せずに廃棄し、メモリ１０に格納されている前回演算周期での計数値Ｎ２（ｔ−１）を使用してパルス計数率の演算を行う。
【００１６】
そして、前回計数値Ｎ２（ｔ−１）から演算されたパルス計数率を、メモリ１０に格納して出力端子１１から出力するとともに、警報出力端子１２から有害ノイズの侵入を示す警報を出力し（ステップＳ５）、ステップＳ１に戻る。
このように、パルス信号から有害ノイズを除去するとともに、有害ノイズ成分の侵入を判定している。
【００１７】
【発明が解決しようとする課題】
従来のパルス信号検出装置は以上のように、パルス信号から有害ノイズを除去するとともに、有害ノイズ成分の侵入を判定することができるものの、ノイズ侵入時には必ず前回演算周期での計数値を用いているので、実際の検出器からのパルス信号に基づく計数値を用いてパルス計数率を出力することができず、十分な信頼性を達成することができないという問題点があった。
【００１８】
この発明は上記のような問題点を解決するためになされたもので、ノイズ侵入時には必ず前回演算周期での計数値を用いるのではなく、有害ノイズの侵入があった場合でも波高弁別器を介してノイズを除去したパルス信号の計数値に基づいてパルス計数率を演算することにより、信頼性の高い検出を可能にしたパルス信号検出装置を得ることを目的とする。
【００１９】
【課題を解決するための手段】
この発明に係るパルス信号検出装置は、検出器からのパルス信号を取り込む入力端子と、入力端子を介して取り込まれたパルス信号を一定周期毎に計数するカウンタ手段と、カウンタ手段からの最終的な計数値に基づいてパルス計数率を算出する演算器と、最終的な計数値を格納するメモリと、パルス計数率を外部に出力する計数率出力端子と、一定周期にパルス信号に侵入したノイズ信号を検出して有害ノイズの有無を判定する有害ノイズ判定手段と、有害ノイズの侵入状態が判定された場合に、ノイズ侵入状態を示す警報を外部に出力する警報出力端子と、入力端子とカウンタ手段との間に挿入されて正常なパルス信号のみを通過させるためのノイズ除去手段と、入力端子に接続された第１の波高弁別器とを備え、カウンタ手段は、ノイズ除去手段を介したパルス信号を計数する第１のカウンタと、第１の波高弁別器の出力端子に直接接続された第２のカウンタとを含み、ノイズ除去手段は、第１の波高弁別器の出力端子に接続されたパルス幅弁別器と、入力端子に接続された第２および第３の波高弁別器と、パルス幅弁別器の出力信号と第２および第３の波高弁別器の各出力信号との論理積演算結果を第１のカウンタに入力するアンド回路とを含み、演算器は、有害ノイズ判定手段を含み、第１および第２のカウンタの各計数値に基づいて有害ノイズの有無を判定するとともに、第１のカウンタの計数値に基づいて計数率を算出するものである。
【００２１】
また、この発明に係るパルス信号検出装置の演算器は、第１および第２のカウンタの計数値差が第１の設定値を越えた場合に、警報を出力するとともに、第１のカウンタの今回計数値と前回計数値との計数値変化量を算出し、計数値変化量が第２の設定値以下の場合、または計数値差が第１の設定値以下の場合に、第１のカウンタの計数値から計数率を算出し、計数値変化量が第２の設定値を越えた場合に、第１のカウンタの前回計数値をメモリに格納するものである。
【００２５】
また、この発明に係るパルス信号検出装置は、検出器からのパルス信号を取り込む入力端子と、入力端子を介して取り込まれたパルス信号を一定周期毎に計数するカウンタ手段と、カウンタ手段からの最終的な計数値に基づいてパルス計数率を算出する演算器と、最終的な計数値を格納するメモリと、パルス計数率を外部に出力する計数率出力端子と、一定周期にパルス信号に侵入したノイズ信号を検出して有害ノイズの有無を判定する有害ノイズ判定手段と、有害ノイズの侵入状態が判定された場合に、ノイズ侵入状態を示す警報を外部に出力する警報出力端子と、入力端子とカウンタ手段との間に挿入されて正常なパルス信号のみを通過させるためのノイズ除去手段と、入力端子に接続された第１の波高弁別器とを備え、カウンタ手段は、ノイズ除去手段を介したパルス信号を計数する第１のカウンタと、第１の波高弁別器の出力端子に直接接続された第２のカウンタとを含み、ノイズ除去手段は、第１の波高弁別器を通過したパルス信号の波形を１つずつ解析し、正常なパルス信号のみを通過させる単一のＡＤコンバータにより構成されたものである。
【００２６】
また、この発明に係るパルス信号検出装置のＡＤコンバータは、有害ノイズの種類を識別するための波形情報を演算器に入力し、演算器は、波形情報に基づく有害ノイズの識別情報をメモリに格納するものである。
【００２７】
【発明の実施の形態】
実施の形態１．
以下、図面を参照しながら、この発明の実施の形態１について詳細に説明する。
【００２８】
図１はこの発明の実施の形態１を示すブロック構成図であり、３〜５、７Ａおよび９Ａはそれぞれ前述（図５参照）の第２、第３の波高弁別器１３、１４、パルス幅弁別器１５、第１のカウンタ７および演算器９に対応しており、１、２、８、１０〜１２は前述と同様のものである。
【００２９】
図１において、６は第１のカウンタ７Ａの入力側に挿入されたアンド回路であり、パルス幅弁別器５の出力信号と、第２および第３の波高弁別器３、４の出力信号との論理積をとって、その論理演算結果を第１のカウンタ７Ａに入力する。
【００３０】
この場合、第２、第３の波高弁別器３、４、パルス幅弁別器５およびアンド回路６は、ノイズ除去手段を構成しており、第１のカウンタ７Ａには、正常なパルス信号のみが入力される。
【００３１】
次に、図１を参照しながら、この発明の実施の形態１による動作について説明する。
まず、監視対象の検出器から入力端子１を介して取り込まれるパルス信号は、第１の波高弁別器２において必要パルス高さの信号のみが通過されて、第２のカウンタ８に入力される。
【００３２】
また、入力端子１から取り込まれたパルス信号は、第２の波高弁別器３に分岐入力されて、必要パルス高さ以上の信号が有害ノイズとして除去され、正常の高さのパルス信号のみが通過してアンド回路６に入力される。
【００３３】
さらに、入力端子１から取り込まれたパルス信号は、第３の波高弁別器４に分岐入力されて、入力パルスとは逆極性のパルスが有害ノイズとして除去され、入力パルスと同極性のパルス信号のみが通過してアンド回路６に入力される。
【００３４】
一方、パルス幅弁別器５は、第１の波高弁別器２から出力されたパルス信号を入力信号とし、必要パルス幅以上のパルス信号を有害ノイズとして除去し、必要幅以内のパルス信号のみを通過させて、アンド回路６に入力する。
【００３５】
こうして、パルス幅弁別器５からの出力信号、第２および第３の波高弁別器３、４からの出力信号は、全てアンド回路６に入力される。
アンド回路６は、上記出力信号の全てが揃った状態のみにおいて、「Ｈ」レベルの論理積演算結果を出力し、これを第１のカウンタ７Ａに入力する。
【００３６】
次に、図２を参照しながら、図１に示したこの発明の実施の形態１による演算処理動作について説明する。
図２は図１内の演算器９Ａの動作（演算手順）を示すフローチャートであり、Ｓ１およびＳ２は前述（図６参照）と同様の処理ステップである。
【００３７】
図２において、演算器９Ａは、まず、第１および第２のカウンタ７Ａ、８の各計数値Ｎ１、Ｎ２を読み込み（ステップＳ１、Ｓ２）、第１のカウンタ７Ａの計数値Ｎ１と第２のカウンタ８の計数値Ｎ２との差の絶対値Ｃ（＝｜Ｎ２−Ｎ１｜）を算出する（ステップＳ１１）。
【００３８】
続いて、計数値差（絶対値）Ｃが任意の設定値Ｋ以下か否かを判定し（ステップＳ１２）、Ｃ≦Ｋ（すなわち、Ｙｅａ）と判定されれば、演算器９Ａは、第１のカウンタ７Ａの計数値Ｎ１と第２のカウンタの計数値Ｎ２との間に差がないものと見なす。
【００３９】
したがって、有害ノイズの侵入はなかったものと判定し、計数値Ｎ１を用いてパルス計数率の演算を行うと同時に、今回演算周期の第１のカウンタ７Ａの計数値Ｎ１を、次回演算周期に用いられる前回正常計数値Ｎ１（ｔ−１）としてメモリ１０に格納し（ステップＳ１３）、ステップＳ１に戻る。
【００４０】
一方、ステップＳ１２において、Ｃ＞Ｋ（すなわち、Ｎｏ）と判定されれば、演算器９Ａは、第１のカウンタ７Ａの計数値Ｎ１と第２のカウンタの計数値Ｎ２との間に設定値Ｋ（許容値）を越える差が発生したものと見なし、有害ノイズが侵入したものと判定する。
【００４１】
したがって、有害ノイズの侵入状態を示す警報を警報出力端子１２から外部に出力する（ステップＳ１４）。
これにより、計数値差Ｃが設定値Ｋを越えた場合には、有害ノイズの侵入が外部に伝達される。
【００４２】
続いて、今回演算周期で第２および第３の波高弁別器３、４、パルス幅弁別器５により有害ノイズが除去された計数値Ｎ１と、前回演算周期でメモリ１０に格納されている前回正常計数値Ｎ１（ｔ−１）との計数値差の絶対値｜Ｎ１−Ｎ１（ｔ−１）｜が、任意の設定値Ｂ以下か否かを判定する（ステップＳ１５）。
【００４３】
ステップＳ１４において、｜Ｎ１−Ｎ１（ｔ−１）｜≦Ｂ（すなわち、Ｙｅｓ）と判定されれば、各弁別器３〜５により有害ノイズの除去が正しく行われているものと判定して、ステップＳ１３に進み、今回の計数値Ｎ１を用いてパルス計数率の演算を行と同時に、今回演算周期の計数値Ｎ１を次回演算周期用の前回正常計数値Ｎ１（ｔ−１）としてメモリ１０に格納する。
【００４４】
一方、ステップＳ１５において、｜Ｎ１−Ｎ１（ｔ−１）｜＞Ｂ（すなわち、Ｎｏ）と判定されれば、有害ノイズが除去されたはずの計数値Ｎ１と前回正常計数値Ｎ１（ｔ−１）との差が設定値Ｂ（許容値）を越えているので、演算器９Ａは、ノイズ除去用の各弁別器３〜５を通過したノイズパルスが侵入したものと判定する。
【００４５】
したがって、演算器９Ａは、今回の計数値Ｎ１を廃棄し、前回正常計数値Ｎ１（ｔ−１）を用いてパルス計数率の演算を行うと同時に、今回演算周期で使用したＮ１（ｔ−１）の値を、次回演算周期用の前回正常計数値Ｎ１（ｔ−１）としてメモリ１０に再度格納し（ステップＳ１６）、ステップＳ１に戻る。
【００４６】
これにより、有害ノイズが侵入した場合においても、従来装置のように必ず前回演算周期値を用いるのではなく、条件によってはノイズが除去された今回演算周期値を使用することができるので、検出不能期間を短くして信頼性の高い検出頻度を多くすることができる。
【００４７】
上記実施の形態１では、単にノイズが除去されたパルス信号を計数したが、図３に示すように、アンド回路６の入力情報を演算器９Ｂに入力して、有害ノイズに関する各種識別情報をメモリ１０に格納するように構成してもよい。
【００４８】
図３はこの発明の実施の形態１に関連した装置例を示すブロック構成図である。
図３において、９Ｂは前述（図１参照）の演算器９Ａに対応しており、１〜８および１０〜１２は前述と同様のものである。
【００４９】
図３に示すように、アンド回路６の入力情報は演算器９Ｂに入力されており、演算器９Ｂは、アンド回路６の入力情報（各弁別器３〜５の出力信号）に基づいて、有害ノイズの影響がどの弁別器に関連しているかを識別することができる。
【００５０】
たとえば、演算器９Ｂは、アンド回路６の入力側から得られる有害ノイズの種類識別信号ａに基づいて、第２の波高弁別器３の出力信号が得られなかったのか、第３の波高弁別器４の出力信号が得られなかったのか、パルス幅弁別器５の出力信号が得られなかったのかを識別する。
【００５１】
また、演算器９Ｂは、識別情報を必要に応じてメモリ１０に格納するとともに、識別情報を付加した警報を警報出力端子１２から出力する。
これにより、ノイズ侵入後のノイズ発生要因の解析に供することができる。
【００５２】
実施の形態２．
なお、上記実施の形態１では、各弁別器３〜５を用いてノイズを除去したが、図４に示すように、単一のＡＤコンバータ１６を用いて入力パルス波形を１つずつ解析し、所定の正常パルスのみを通過させるように構成してもよい。
【００５３】
図４はこの発明の実施の形態２を示すブロック構成図である。
図４において、９Ｃは前述（図１、図３参照）の演算器９Ａ、９Ｂに対応しており、１、２、７Ａ、８および１０〜１２は前述と同様のものである。
【００５４】
１６は第１の波高弁別器２の出力端子に接続された単一のＡＤコンバータであり、ＡＤコンバータ１６の一方の出力端子は第１のカウンタ７Ａに接続され、ＡＤコンバータ１６の他方の出力端子は演算器９Ｃに接続されている。
【００５５】
この場合、第２、第３の波高弁別器３、４、パルス幅弁別器５（図１、図３参照）およびアンド回路６（図３参照）は不要となり、簡易な回路で構成することができる。
【００５６】
ＡＤコンバータ１６は、第１の波高弁別器２から出力されるパルス波形を１つずつ解析し、所定の正常パルスのみを通過させて第１のカウンタ７Ａに入力するとともに、通過パルス信号の波形情報ｂを演算器９Ｃに入力する。
【００５７】
演算器９Ｃは、ＡＤコンバータの波形情報ｂに基づいて有害ノイズの種類を識別し、必要に応じて識別情報をメモリ１０に格納するとともに、識別情報を付加した警報を警報出力端子１２から出力する。
これにより、前述と同様にノイズ侵入後のノイズ発生要因の解析に供することができる。
【００５８】
【発明の効果】
以上のように、この発明によれば、検出器からのパルス信号を取り込む入力端子と、入力端子を介して取り込まれたパルス信号を一定周期毎に計数するカウンタ手段と、カウンタ手段からの最終的な計数値に基づいてパルス計数率を算出する演算器と、最終的な計数値を格納するメモリと、パルス計数率を外部に出力する計数率出力端子と、一定周期にパルス信号に侵入したノイズ信号を検出して有害ノイズの有無を判定する有害ノイズ判定手段と、有害ノイズの侵入状態が判定された場合に、ノイズ侵入状態を示す警報を外部に出力する警報出力端子と、入力端子とカウンタ手段との間に挿入されて正常なパルス信号のみを通過させるためのノイズ除去手段と、入力端子に接続された第１の波高弁別器とを備え、カウンタ手段は、ノイズ除去手段を介したパルス信号を計数する第１のカウンタと、第１の波高弁別器の出力端子に直接接続された第２のカウンタとを含み、ノイズ除去手段は、第１の波高弁別器の出力端子に接続されたパルス幅弁別器と、入力端子に接続された第２および第３の波高弁別器と、パルス幅弁別器の出力信号と第２および第３の波高弁別器の各出力信号との論理積演算結果を第１のカウンタに入力するアンド回路とを含み、演算器は、有害ノイズ判定手段を含み、第１および第２のカウンタの各計数値に基づいて有害ノイズの有無を判定するとともに、第１のカウンタの計数値に基づいて計数率を算出するようにしたので、有害ノイズの侵入があった場合でも、波高弁別器を介してノイズを除去したパルス信号の計数値に基づいてパルス計数率を演算し、信頼性の高い検出を可能にしたパルス信号検出装置が得られる効果がある。
【００６０】
また、この発明によれば、第１および第２のカウンタの計数値差が第１の設定値を越えた場合に、警報を出力するとともに、第１のカウンタの今回計数値と前回計数値との計数値変化量を算出し、計数値変化量が第２の設定値以下の場合、または計数値差が第１の設定値以下の場合に、第１のカウンタの計数値から計数率を算出し、計数値変化量が第２の設定値を越えた場合に、第１のカウンタの前回計数値をメモリに格納するようにしたので、さらに信頼性を向上させたパルス信号検出装置が得られる効果がある。
【００６４】
また、この発明によれば、検出器からのパルス信号を取り込む入力端子と、入力端子を介して取り込まれたパルス信号を一定周期毎に計数するカウンタ手段と、カウンタ手段からの最終的な計数値に基づいてパルス計数率を算出する演算器と、最終的な計数値を格納するメモリと、パルス計数率を外部に出力する計数率出力端子と、一定周期にパルス信号に侵入したノイズ信号を検出して有害ノイズの有無を判定する有害ノイズ判定手段と、有害ノイズの侵入状態が判定された場合に、ノイズ侵入状態を示す警報を外部に出力する警報出力端子と、入力端子とカウンタ手段との間に挿入されて正常なパルス信号のみを通過させるためのノイズ除去手段と、入力端子に接続された第１の波高弁別器とを備え、カウンタ手段は、ノイズ除去手段を介したパルス信号を計数する第１のカウンタと、第１の波高弁別器の出力端子に直接接続された第２のカウンタとを含み、ノイズ除去手段は、第１の波高弁別器を通過したパルス信号の波形を１つずつ解析し、正常なパルス信号のみを通過させる単一のＡＤコンバータにより構成されたので、信頼性を向上させるとともに回路を簡略化したパルス信号検出装置が得られる効果がある。
【００６５】
また、この発明に係るパルス信号検出装置のＡＤコンバータは、有害ノイズの種類を識別するための波形情報を演算器に入力し、演算器は、波形情報に基づく有害ノイズの識別情報をメモリに格納するようにしたので、回路簡略化とともにノイズ発生要因の解析が可能なパルス信号検出装置が得られる効果がある。
【図面の簡単な説明】
【図１】  この発明の実施の形態１を示すブロック構成図である。
【図２】  この発明の実施の形態１による演算器の動作を示すフローチャートである。
【図３】  この発明の実施の形態１に関連した装置例を示すブロック構成図である。
【図４】  この発明の実施の形態２を示すブロック構成図である。
【図５】  従来のパルス信号検出装置を示すブロック構成図である。
【図６】  従来のパルス信号検出装置による演算器の動作を示すフローチャートである。
【符号の説明】
１  入力端子、２  第１の波高弁別器、３  第２の波高弁別器、４  第３の波高弁別器、５  パルス幅弁別器、６  アンド回路、７Ａ  第１のカウンタ、８  第２のカウンタ、９Ａ、９Ｂ、９Ｃ  演算器、１０  メモリ、１１  計数率出力端子、１２  警報出力端子、１６  ＡＤコンバータ。
【図１】
0003763461.tif 000002
【図２】
0003763461.tif 000003
【図３】
0003763461.tif 000004
【図４】
0003763461.tif 000005
【図５】
0003763461.tif 000006
【図６】
0003763461.tif 000007